【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
車両に搭載され、自車両のライトによる照射範囲を制御するライト制御装置（１）であって、
自車両周囲に存在する他車両の位置情報を取得する他車両情報取得手段（Ｓ１１０〜Ｓ１３０）と、
他車両の位置に応じて前記照射範囲を設定する照射範囲設定手段（Ｓ１５０，Ｓ２９０）と、
設定された照射範囲になるよう自車両のライトの照射範囲を変更する旨の変更出力を行う変更出力手段（Ｓ３１０，Ｓ３２０）と、
予め設定された待機時間が経過するまでの間、前記変更出力手段が照射範囲を変更する旨の出力を行うことを禁止する禁止手段（Ｓ２８０）と、
を備え、
前記他車両情報取得手段は該他車両の移動方向も取得し、
前記他車両の移動方向に応じて前記待機時間の長さを設定する待機時間設定手段（Ｓ１７０〜Ｓ２５０）、
を備えたことを特徴とするライト制御装置。
【請求項２】
請求項１に記載のライト制御装置において、
前記他車両の移動方向に応じて前記他車両が自車両に向かって走行する対向車であるか、自車両と同じ方向に走行する先行車であるかを判定する他車両判定手段（Ｓ１３０）を備え、
前記待機時間設定手段は、前記他車両が先行車である場合に前記他車両が対向車である場合と比較して前記待機時間の長さを短く設定すること
を特徴とするライト制御装置。
【請求項３】
請求項１又は請求項２の何れか１項に記載のライト制御装置において、
前記照射範囲設定手段は、前記ライトの光軸の方向を水平方向に変更するスイブル機構を駆動させた際の照射可能範囲内において、前記ライトの光軸の方向が前記他車両と重ならないように前記他車両の位置に従って繰り返し前記照射範囲を設定すること
を特徴とするライト制御装置。
【請求項４】
請求項３に記載のライト制御装置において、
前記照射範囲設定手段は、自車両に備えられた一対のライトのうちの一方のライトの光軸が前記他車両の左側に位置し、他方のライトの光軸が前記他車両の右側に位置するよう前記照射範囲を設定すること
を特徴とするライト制御装置。
【請求項５】
請求項３または請求項４に記載のライト制御装置において、
前記変更出力手段は、設定された照射範囲に応じて前記ライトとして備えられた近距離用ライトおよび遠距離用ライトの点灯状態を制御し、
前記照射範囲設定手段は、
予め設定された基準距離以内に前記他車両が存在する場合に、前記近距離用ライトのみによる照射可能範囲内を前記照射範囲として設定し、
前記基準距離以内に他車両が存在しない場合であって、かつ前記遠距離用ライトを点灯させたと仮定したときにおいて前記照射範囲内に前記他車両が含まれる場合、前記遠距離用ライトを点灯させたと仮定したときにおいて前記照射範囲内に前記他車両が含まれなくなるように前記照射範囲を水平方向に移動させつつ、前記近距離用ライトのみによる照射可能範囲内を前記照射範囲として設定し、
前記基準距離以内に他車両が存在しない場合であって、かつ前記遠距離用ライトを点灯させたと仮定したときにおいて前記照射範囲内に前記他車両が含まれない場合、前記遠距離用ライトによる照射可能範囲内を前記照射範囲として設定すること
を特徴とするライト制御装置。
【請求項６】
請求項５に記載のライト制御装置において、
前記照射範囲設定手段は、
前記遠距離用ライトによる照射可能範囲内を前記照射範囲に設定しているときにおいて、前記照射範囲内に前記他車両が含まれなくなるようにすることができる場合には前記照射範囲内に前記他車両が含まれなくなるように前記照射範囲を設定し、前記照射範囲内に前記他車両が含まれてしまう場合には、前記近距離用ライトによる照射可能範囲内を前記照射範囲に設定すること
を特徴とするライト制御装置。
【請求項７】
コンピュータを請求項１〜請求項６の何れか１項に記載のライト制御装置を構成する各手段として機能させるためのライト制御プログラム。
【手続補正２】
【補正対象書類名】明細書
【補正対象項目名】０００９
【補正方法】変更
【補正の内容】
【０００９】
ところで、上記ライト制御装置においては、他車両情報取得手段は他車両の移動方向も取得し、待機時間設定手段は、他車両の移動方向に応じて待機時間の長さを設定してもよい。
【手続補正３】
【補正対象書類名】明細書
【補正対象項目名】００１１
【補正方法】変更
【補正の内容】
【００１１】
加えて上記ライト制御装置においては、請求項２に記載のように、他車両の移動方向に応じて他車両が自車両に向かって走行する対向車であるか、自車両と同じ方向に走行する先行車であるかを判定する他車両判定手段を備え、待機時間設定手段は、他車両が先行車である場合に他車両が対向車である場合と比較して待機時間の長さを短く設定してもよい。
【手続補正４】
【補正対象書類名】明細書
【補正対象項目名】００１３
【補正方法】変更
【補正の内容】
【００１３】
このようなライト制御装置によれば、他車両が対向車または先行車であるかどうかに応じて適切に待機時間を設定することができる。
また、上記ライト制御装置においては、請求項３に記載のように、照射範囲設定手段は、ライトの光軸の方向を水平方向に変更するスイブル機構を駆動させた際の照射可能範囲内において、ライトの光軸の方向が他車両と重ならないように他車両の位置に従って繰り返し照射範囲を設定するようにしてもよい。
【手続補正５】
【補正対象書類名】明細書
【補正対象項目名】００１５
【補正方法】変更
【補正の内容】
【００１５】
さらに、上記ライト制御装置においては、請求項４に記載のように、照射範囲設定手段は、自車両に備えられた一対のライトのうちの一方のライトの光軸が他車両の左側に位置し、他方のライトの光軸が他車両の右側に位置するよう照射範囲を設定するようにしてもよい。
【手続補正６】
【補正対象書類名】明細書
【補正対象項目名】００１６
【補正方法】変更
【補正の内容】
【００１６】
このようなライト制御装置によれば、より広範囲を照射範囲内とすることができる。
また、上記ライト制御装置においては、請求項５に記載のように、変更出力手段は、設定された照射範囲に応じてライトとして備えられた近距離用ライトおよび遠距離用ライトの点灯状態を制御し、照射範囲設定手段は、予め設定された基準距離以内に他車両が存在する場合に、近距離用ライトのみによる照射可能範囲内を照射範囲として設定し、基準距離以内に他車両が存在しない場合であって、かつ遠距離用ライトを点灯させたと仮定したときにおいて照射範囲内に他車両が含まれる場合、遠距離用ライトを点灯させたと仮定したときにおいて照射範囲内に他車両が含まれなくなるように照射範囲を水平方向に移動させつつ、近距離用ライトのみによる照射可能範囲内を照射範囲として設定し、基準距離以内に他車両が存在しない場合であって、かつ遠距離用ライトを点灯させたと仮定したときにおいて照射範囲内に他車両が含まれない場合、遠距離用ライトによる照射可能範囲内を照射範囲として設定するようにしてもよい。
【手続補正７】
【補正対象書類名】明細書
【補正対象項目名】００１７
【補正方法】変更
【補正の内容】
【００１７】
このようなライト制御装置によれば、他車両の位置に応じて他車両を眩惑しないように適切に照射範囲を拡大することができる。
さらに、上記ライト制御装置においては、請求項６に記載のように、照射範囲設定手段は、遠距離用ライトによる照射可能範囲内を照射範囲に設定しているときにおいて、照射範囲内に他車両が含まれなくなるようにすることができる場合には照射範囲内に他車両が含まれなくなるように照射範囲を設定し、照射範囲内に他車両が含まれてしまう場合には、近距離用ライトによる照射可能範囲内を照射範囲に設定してもよい。
【手続補正８】
【補正対象書類名】明細書
【補正対象項目名】００１９
【補正方法】変更
【補正の内容】
【００１９】
また、上記の目的を達成するためになされた請求項７に記載のライト制御プログラムは、コンピュータを上記のライト制御装置を構成する各手段として機能させるためのプログラムであることを特徴とする。